(57)【要約】【課題】入力ヘッダ情報を縮退した入力識別子を用いるヘッダ変換機能を有するＡＴＭ装置に関し、オンライン状態（セル導通状態）で、入力セルのＶＰＩ／ＶＣＩの使用長の変更を含む入力識別子（アドレス値）の収容変更を可能にし、更に、収容変更の迅速化を図る。【解決手段】入力セルのＶＰＩ／ＶＣＩから２種類の入力識別子を生成するための入力識別子生成情報を保持する手段１−２ａ，１−２ｂと、該２種類の入力識別子生成情報に従って２種類の入力識別子を生成する手段１−１ａ，１−１ｂと、２種類の入力識別子のうちの何れか一方を選択して出力する手段１−３と、２種類の入力識別子に対応した２面のアドレス空間を有し、各入力識別子をアドレスとしてヘッダ変換後のヘッダ情報データを格納するヘッダ情報格納メモリ１−６とを備える。更に、ヘッダ変換情報格納メモリに対して面間で格納データを転写する手段１−７，１−８を備える。【選択図】      図１
2004343422.tif 000002
【特許請求の範囲】
【請求項１】
入力されるＡＴＭセルのヘッダの仮想パス識別子又は仮想チャネル識別子を縮退し、該縮退した仮想パス識別子又は仮想チャネル識別子を入力識別子としてヘッダ情報を変換するＡＴＭ装置において、
入力されるＡＴＭセルのヘッダの仮想パス識別子又は仮想チャネル識別子からそれぞれ種類の異なる入力識別子を生成するための２種類の入力識別子生成情報を保持する入力識別子生成情報保持手段と、
前記２種類の入力識別子生成情報に従って、それぞれ種類の異なる２種類の入力識別子を生成する入力識別子生成手段と、
前記入力識別子生成手段から出力される２種類の入力識別子のうちの何れか一方の入力識別子を選択して出力する入力識別子選択手段と、
前記２種類の入力識別子に対応した２面のアドレス空間を有し、各面のアドレス空間にそれぞれ前記各入力識別子をアドレスとして、ヘッダ変換後のヘッダ情報データを格納するヘッダ情報格納メモリとを備え、
前記入力識別子選択手段から出力される入力識別子をアドレスとして、前記ヘッダ情報格納メモリから、ヘッダ変換後のヘッダ情報データを読み出し、該読み出したヘッダ変換後のヘッダ情報データをヘッダに付加してヘッダ変換を行う構成を有するヘッダ変換機能を有するＡＴＭ装置。
【請求項２】
前記の２面のアドレス空間を有するヘッダ情報格納メモリに対して、一方の面のアドレスから該アドレスに対応する他方の面のアドレスを、前記入力識別子生成情報を基に生成する面間アドレス生成手段と、
該面間アドレス生成手段で生成される他方の面の対応するアドレスに、一方の面のアドレス空間に格納された前記ヘッダ変換後の各ヘッダ情報データを転写する手段と、を備えたことを特徴とする請求項１に記載のヘッダ変換機能を有するＡＴＭ装置。
【発明の詳細な説明】
【０００１】
【発明の属する技術分野】
本発明は、ヘッダ変換機能を有するＡＴＭ（Ａｓｙｎｃｈｒｏｎｏｕｓ  Ｔｒａｎｓｆｅｒ  Ｍｏｄｅ）装置に関し、特に、ヘッダ変換テーブルへのアクセスに際して、入力識別子を生成して入力ヘッダ情報を縮退し、コネクション収容数を絞って出力ヘッダ情報へ変換することにより、ヘッダ変換テーブルのメモリ容量を削減化したヘッダ変換機能を有するＡＴＭ装置に関する。
【従来の技術】
【０００２】
図６にＡＴＭ装置におけるヘッダ変換機能の構成を示す。同図に示すようにヘッダ変換は、主信号上のＡＴＭセルから、入力ヘッダ情報抽出手段６−１により入力ヘッダ情報（ＶＰＩｘ，ＶＣＩｘ）を抽出し、ヘッダ変換後情報取得手段６−２により入力ヘッダ情報（ＶＰＩｘ，ＶＣＩｘ）を元にヘッダ変換後情報（ＲＢｙ，ＶＰＩｙ，ＶＣＩｙ）を取得する。
【０００３】
そして、このヘッダ変換後情報（ＲＢｙ，ＶＰＩｙ，ＶＣＩｙ）をヘッダ変換後情報付与手段６−３に渡し、ヘッダ変換後情報付与手段６−３は、主信号のＡＴＭセルのヘッダに該ヘッダ変換後情報（ＲＢｙ，ＶＰＩｙ，ＶＣＩｙ）を付与する。
【０００４】
ここで、ＶＰＩ（Ｖｉｒｔｕａｌ  Ｐａｔｈ  Ｉｄｅｎｔｉｆｉｅｒ）  及びＶＣＩ（Ｖｉｒｔｕａｌ  Ｃｈａｎｎｅｌ  Ｉｄｅｎｔｉｆｉｅｒ）は、それぞれ仮想パス識別子及び仮想チャネル識別子であり、また、ＲＢ（Ｒｏｕｔｉｎｇ  Ｂｉｔ  ）は、入力されたＡＴＭセルをＡＴＭスイッチの所定の出力ポートへ導くようにスイッチングするための接続経路情報である。
【０００５】
図７に従来のヘッダ変換後情報取得手段の構成を示す。ヘッダ変換後情報取得手段は、入力ヘッダ情報（ＶＰＩｘ，ＶＣＩｘ）から入力識別子生成手段７−１により入力識別子（アドレス）を生成し、該入力識別子（アドレス）を、マイクロプロセッサバス選択手段７−３を介してヘッダ情報格納メモリ７−４にアドレス情報として与え、該ヘッダ情報格納メモリ７−４に格納されているデータを読み出してヘッダ変換後情報（ＲＢｙ，ＶＰＩｙ，ＶＣＩｙ）を取得する。
【０００６】
入力識別子生成手段７−１は、入力識別子生成情報格納手段７−２に格納された入力識別子生成情報に従って、入力ヘッダ情報（ＶＰＩｘ，ＶＣＩｘ）から入力識別子（アドレス）を生成する。生成される入力識別子（アドレス）の例を、図７の左下隅に示している。同図に示す入力識別子（アドレス）は、ＶＰＩ長がαの縮退したＶＰＩａ及びＶＣＩ長が（６−α）の縮退したＶＣＩａから成る１６ビット長の入力識別子（アドレスＡ）を生成する例を示している。
【０００７】
図８は縮退した入力識別子（アドレス）を生成する様態を示す。ＮＮＩ（Ｎｅｔｗｏｒｋ  Ｎｏｄｅ  Ｉｎｔｅｒｆａｃｅ）のＡＴＭセルのヘッダは、ＶＰＩ長が１２ビット、ＶＣＩ長が１６ビットであり、計２８ビット長の入力ヘッダ情報（ＶＰＩｘ，ＶＣＩｘ）となる。
【０００８】
２８ビット長の入力ヘッダ情報（ＶＰＩｘ，ＶＣＩｘ）に対するヘッダ変換テーブルをそのまま作成すると、２２８≒２５６Ｍ個のアドレス空間となり、実際のＡＴＭセルの入力ヘッダ情報（ＶＰＩｘ，ＶＣＩｘ）で識別されるコネクションの数（同時に接続されている論理チャネルの数）はそれより遥かに少ないにも拘わらず、全論理チャネル分のアドレス空間を満たす膨大なヘッダ変換テーブルが必要となる。
【０００９】
そこで、ＡＴＭ交換機等においてＡＴＭセルのヘッダ変換を行うに際し、ヘッダ変換テーブルのメモリ量（ハードウェア回路規模）の削減を図るために、アドレス空間を実際のコネクション数に絞ったメモリを用いてヘッダ変換を行うことが行われている。
【００１０】
この実際のコネクション数に絞ったアドレス空間を与えるアドレスは「入力識別子」と定義され、ヘッダ変換テーブルをアクセスするアドレスとして使用されるが、この入力識別子を生成するに当たり、以下の方式（１）又は（２）の何れかが用いられる。
【００１１】
（１）入力ヘッダ情報（ＶＰＩｘ，ＶＣＩｘ）の使用長に制限を加え、入力識別子を生成する方式
（２）内容参照メモリ（ＣＡＭ：Ｃｏｎｔｅｎｔ  Ａｄｄｒｅｓｓａｂｌｅ  Ｍｅｍｏｒｙ）を使用して、入力識別子を生成する方式
【００１２】
コスト面を重視した場合には、ＳＲＡＭ（Ｓｔａｔｉｃ  Ｒａｎｄｏｍ  Ａｃｃｅｓｓ  Ｍｅｍｏｒｙ  ）等の安価な記憶部品を用いて実現することができる上記（１）の方式が採られることが多い。図８の入力識別子生成の例では、入力識別子を１６ビットに制限し、ＶＰＩの有効長α（１≦α＜１６）のＶＰＩａとＶＣＩの有効長（６−α）のＶＣＩａとから成る入力識別子を生成し、この入力識別子を用いることにより、６４Ｋ個のコネクション数（アドレス空間）に絞られることとなる。なお、有効長を超える入力ヘッダ情報（ＶＰＩｘ，ＶＣＩｘ）については、この縮退法による制約からハンドリングすることができない。
【００１３】
本発明に関連する先行技術文献として、縮退した変換テーブルを用いてメモリ量の削減化を図ったヘッダ変換手段を有するＡＴＭ交換機が下記の特許文献１に記載されている。
【特許文献１】
特開平７−３０７７４５号公報（段落０１８０〜０１９８）
【００１４】
【発明が解決しようとする課題】
上記（１）の方式はコスト面では優れているが、入力ヘッダ情報（ＶＰＩｘ，ＶＣＩｘ）の使用長に制限を加えて入力識別子を生成することから、オンライン状態（セル導通状態）を維持したままで、コネクション即ち入力識別子（アドレス値）の収容変更（入力セルのＶＰＩ／ＶＣＩ値の使用長を変更）を行うことができないという問題がある。
【００１５】
この問題は次のことに起因する。オンライン状態で、入力セルのＶＰＩ／ＶＣＩの使用長を変更した場合に、変更後の入力識別子（アドレス値）と元々ヘッダ変換テーブル格納されているデータ値とに相関関係がなくなる。そのため、オンライン状態（セル導通状態）の通信に対してセル廃棄、セル誤配等が発生する。
【００１６】
上記のセル廃棄、セル誤配等を救済する手段としては、一度、ヘッダ変換テーブルの全てのデータをクリアし、次に入力セルのＶＰＩ／ＶＣＩの使用長を変更し、その後、新しいＶＰＩ／ＶＣＩの使用長に基づいた入力識別子を生成し、ヘッダ変換テーブルを再設定することにより、セル廃棄、セル誤配等を救済することができる。但し、この手段では、ヘッダ変換テーブルを再設定するまでに、セル非導通状態が続くため、オンライン状態（セル導通状態）で収容変更することはできない。
【００１７】
本発明は、入力ヘッダ情報（ＶＰＩｘ，ＶＣＩｘ）の使用長に制限を加え、入力識別子を生成してヘッダ変換を行なう方式において、オンライン状態（セル導通状態）で、入力セルのＶＰＩ／ＶＣＩの使用長の変更を含む入力識別子（アドレス値）の収容変更を可能にし、更に、収容変更を迅速に行うことができるヘッダ変換機能を有するＡＴＭ装置を提供することを目的とする。
【００１８】
【課題を解決するための手段】
本発明のヘッダ変換機能を有するＡＴＭ装置は、（１）入力されるＡＴＭセルのヘッダの仮想パス識別子又は仮想チャネル識別子を縮退し、該縮退した仮想パス識別子又は仮想チャネル識別子を入力識別子としてヘッダ情報を変換するＡＴＭ装置において、
入力されるＡＴＭセルのヘッダの仮想パス識別子又は仮想チャネル識別子からそれぞれ種類の異なる入力識別子を生成するための２種類の入力識別子生成情報を保持する入力識別子生成情報保持手段と、
前記２種類の入力識別子生成情報に従って、それぞれ種類の異なる２種類の入力識別子を生成する入力識別子生成手段と、
前記入力識別子生成手段から出力される２種類の入力識別子のうちの何れか一方の入力識別子を選択して出力する入力識別子選択手段と、
前記２種類の入力識別子に対応した２面のアドレス空間を有し、各面のアドレス空間にそれぞれ前記各入力識別子をアドレスとして、ヘッダ変換後のヘッダ情報データを格納するヘッダ情報格納メモリとを備え、
前記入力識別子選択手段から出力される入力識別子をアドレスとして、前記ヘッダ情報格納メモリから、ヘッダ変換後のヘッダ情報データを読み出し、該読み出したヘッダ変換後のヘッダ情報データをヘッダに付加してヘッダ変換を行う構成を有するものである。
【００１９】
また、（２）前記の２面のアドレス空間を有するヘッダ情報格納メモリに対して、一方の面のアドレスから該アドレスに対応する他方の面のアドレスを、前記入力識別子生成情報を基に生成する面間アドレス生成手段と、
該面間アドレス生成手段で生成される他方の面の対応するアドレスに、一方の面のアドレス空間に格納された前記ヘッダ変換後の各ヘッダ情報データを転写する手段と、を備えたものである。
【００２０】
【発明の実施の形態】
図１に本発明によるヘッダ変換機能の構成を示す。同図に示すように本発明によるヘッダ変換機能は、２種類の入力識別子生成情報を保持する手段である入力識別子Ａ生成情報格納手段１−２ａ及び入力識別子Ｂ生成情報格納手段１−２ｂと、上記の各入力識別子生成情報に従って入力識別子Ａ及び入力識別子Ｂをそれぞれ生成する入力識別子Ａ生成手段１−１ａ及び入力識別子Ｂ生成手段１−１ｂとを備える。
【００２１】
そして、これら２種類の入力識別子Ａ及び入力識別子Ｂの何れか一方を選択する入力識別子Ａ／Ｂ選択手段１−３と、この入力識別子Ａ／Ｂ選択手段１−３の選択を制御する面切替え制御情報保持手段１−４と、各入力識別子Ａ／Ｂに対応してそれぞれヘッダ変換後情報データを格納するＡ面／Ｂ面の２面構成のヘッダ変換情報格納メモリ１−６とを備える。
【００２２】
入力ヘッダ情報（ＶＰＩｘ，ＶＣＩｘ）の入力値は、入力識別子Ａ生成手段１−１ａ及び入力識別子Ｂ生成手段１−１ｂの両方に入力され、入力識別子Ａ生成手段１−１ａ及び入力識別子Ｂ生成手段１−１ｂは、それぞれ入力識別子Ａ生成情報格納手段１−２ａ及び入力識別子Ｂ生成情報格納手段１−２ｂの生成情報にそれぞれ従って、入力識別子Ａ及び入力識別子Ｂを生成し、その両者を入力識別子Ａ／Ｂ選択手段１−３に出力する。
【００２３】
入力識別子Ａ／Ｂ選択手段１−３は、面切替え制御情報保持手段１−４から出力される面切替え信号により、入力識別子Ａ又は入力識別子Ｂの何れか一方を選択して、選択した入力識別子を、マイクロプロセッサバス選択手段１−５を経由してヘッダ変換情報格納メモリ１−６に入力する。
【００２４】
図２に入力識別子Ａ生成情報及び入力識別子Ｂ生成情報によりそれぞれ生成される入力識別子を示す。同図（ｉ）に示す入力識別子Ａ（アドレスＡ）は、入力識別子Ａ生成情報（第１の縮退方法Ａ）に従い、ＶＰＩの有効長α（１≦α＜１６）のＶＰＩａとＶＣＩの有効長（１６−α）のＶＣＩａとから成る入力識別子として生成され、更に、入力識別子Ａ（アドレスＡ）の先頭にその種類を示す“０”が付される。
【００２５】
一方、図２の（ｉｉ）に示す入力識別子Ｂ（アドレスＢ）は、入力識別子Ｂ生成情報（第２の縮退方法Ｂ）に従い、ＶＰＩの有効長β（１≦β＜１６）のＶＰＩｂとＶＣＩの有効長  （１６−β）のＶＣＩｂとから成る入力識別子としてを生成され、更に、入力識別子Ｂ（アドレスＢ）の先頭にその種類を示す“１”が付される。
【００２６】
ここで一動作例として、オンライン状態（セル導通状態）が入力識別子Ａで、即ちヘッダ変換情報格納メモリ１−６のＡ面で運用されているときに、入力識別子Ｂの生成情報に従う収容変更を行う場合について説明する。
【００２７】
先ず、入力識別子Ｂ生成情報格納手段１−２ｂに入力識別子Ｂ生成情報を格納し、次にこの入力識別子Ｂ生成情報に従って生成される入力識別子Ｂ（アドレス値）に沿って、各ヘッダ変換後情報データ（ＲＢｙ，ＶＰＩｙ，ＶＣＩｙ）をヘッダ変換情報格納メモリ１−６のＢ面に設定する。
【００２８】
ヘッダ変換情報格納メモリ１−６のＢ面のデータ設定を全て終えた後に、面切替え制御情報保持手段１−４の切替え制御情報を、入力識別子Ｂを選択する設定情報に変更することにより、入力識別子Ａ／Ｂ選択手段１−３は、入力識別子の先頭の種類を示す情報を基に、入力識別子Ｂ（アドレスＢ）を選択して出力し、ヘッダ変換情報格納メモリ１−６は、入力識別子Ｂ（アドレスＢ）によりＢ面のアドレス空間からヘッダ変換後情報データ（ＲＢｙ，ＶＰＩｙ，ＶＣＩｙ）を読み出して出力し、入力識別子生成情報Ｂに従う入力識別子Ｂに変更する収容変更を実現する。
【００２９】
このように、入力ヘッダ情報（ＶＰＩｘ，ＶＣＩｘ）の縮退方法が異なる２種類の入力識別子をそれぞれ同時に生成し、各入力識別子に対するヘッダ変換後情報（ＲＢｙ，ＶＰＩｙ，ＶＣＩｙ）を、ヘッダ変換情報格納メモリ１−６のＡ面及びＢ面に予め格納しておき、入力識別子の収容変更に際しては、出力される入力識別子を切替え、ヘッダ変換情報格納メモリから読み出される面を切替えることにより、瞬時に切替えを行うことができ、オンライン状態（セル導通状態）での切替えが可能となる。
【００３０】
更に、ヘッダ変換情報格納メモリ１−６のＡ面とＢ面との間に、面間転送手段１−７及び転送先入力識別子生成手段１−８を備え、ヘッダ変換テーブル１−６の一方の面に設定されたデータを他方の面に引き継ぐ構成とする。
【００３１】
同一メモリ内の面間で引き継ぐことができるデータに対しては、マイクロプロセッサバス（ＭＰバス）を介して外部から設定するより、面間転送手段１−７及び転送先入力識別子生成手段１−８を用いて、メモリ内でデータの引き継ぎ（データ転写）を行うことにより、ヘッダ変換情報格納メモリ１−６のデータ格納処理を高速化することができる。
【００３２】
一例として、前述の例のようにオンライン状態（セル導通状態）でヘッダ変換情報格納メモリ１−６のＡ面が使用されているとき、Ａ面のヘッダ変換後情報データをＢ面に転写する場合について、図３参照をして説明する。
【００３３】
先ず、面間転送手段１−７に転送方向（Ａ面→Ｂ面）を設定し、その後、転送起動の指示を行う。面間転送手段１−７は、ヘッダ変換情報格納メモリ１−６のＡ面の先頭アドレスから格納データを読み出し、かつ、そのアドレスＡを転送先入力識別子生成手段１−８に渡す。
【００３４】
転送先入力識別子生成手段１−８は、渡されたアドレスＡから入力識別子Ａ生成情報格納手段１−２ａの内容に従い、入力セルのＶＰＩ／ＶＣＩ値を再現し、更に該入力セルのＶＰＩ／ＶＣＩ値から、入力識別子Ｂ生成情報格納手段１−２ｂの内容に従い、入力識別子Ｂ  （アドレスＢ）を生成する。
【００３５】
この転送先入力識別子生成手段１−８で自動生成された入力識別子Ｂ（アドレスＢ）を面間転送手段１−７に戻し、面間転送手段１−７ではこのアドレスＢと先のＡ面の読み出しデータとを用いて、ヘッダ変換情報格納メモリ１−６のＢ面のデータを格納する。この動作をＡ面のアドレス分繰り返す。面間でのデータ転写の際に格納データについても再生成が必要な場合にはアドレスの再生成と同様の処理を行う。
【００３６】
アドレス自動生成の例として、ＶＰＩ長並びにＶＰＩ長及びＶＣＩ長の合計値に制約を加えて入力識別子を生成する場合、以下（１）又は（２）のように処理を行ってアドレス変換（収容変更）を行う。
【００３７】
（１）変更後のアドレスのＶＰＩの使用長が、変更前のアドレスのＶＰＩの使用長に比べて短い場合には、変更前のアドレスの使用長部分の溢れたアドレスは引き継がない。
（２）変更後のアドレスのＶＰＩの使用長が、変更前のアドレスのＶＰＩの使用長に比べて長い場合には、変更後のアドレスの使用長部分の未使用部分についてはその部分に値“０”を埋め、その他の使用長部分のアドレスのデータを引き継ぐ。
（３）ＶＣＩの使用長に変更がある場合についても、上記（１）又は（２）と同様の処理を行う。
【００３８】
図４及び図５にアドレス自動生成の具体例を示す。図４は変更後のアドレスＢのＶＰＩの使用長（７ビット）が、変更前のアドレスＡのＶＰＩの使用長（５ビット）に比べて長くなり、その分、ＶＣＩの使用長が変更後に短くなる例を示している。
【００３９】
この例の場合、変更後のアドレスＢのＶＰＩは、変更前のアドレスＡの５ビットのＶＰＩａをそのまま引継ぎ、その上位に増加ビット分の２ビットに“００”を埋める。また、ＶＣＩについてはＶＰＩ長の増加に伴い、２ビット分減少するので、変更前のアドレスＡの１１ビットのＶＣＩａの上位ビットが“００”である場合のみ新たなＶＣＩ値として引継ぎ、ＶＣＩａの上位ビットが“００”でない場合はアドレスを自動生成しない。
【００４０】
例えば、変更前、ＶＰＩａ＝０ｘ５（１０１），ＶＣＩａ＝０ｘ１Ｆ（１１１１１）である場合、
変更前のアドレスＡは、０ｘ２８１Ｆ（００１０１００００００１１１１１）であり、
変更後のアドレスＢは、０ｘ０Ａ１Ｆ（００００１０１００００１１１１１）となる。
【００４１】
また、変更前、ＶＰＩａ＝０ｘ５（１０１），ＶＣＩａ＝０ｘ３ＦＦ（０１１１１１１１１１１）  である場合、
変更前のアドレスＡは、０ｘ２ＢＦＦ（００１０１０１１１１１１１１１１）であり、
変更後のアドレスＢは、引継ぎ前のＶＣＩａの上位ビットが“０１”で、“００”ではないので、このアドレスに対してはアドレスの自動生成を行わない。
【００４２】
図５は変更後のアドレスＢのＶＰＩの使用長（５ビット）が、変更前のアドレスＡのＶＰＩの使用長（７ビット）に比べて短くなり、その分、ＶＣＩの使用長が変更後に長くなる例を示している。この例の場合、変更後のアドレスＢのＶＣＩは、変更前のアドレスＡの９ビットのＶＣＩａをそのまま引継ぎ、その上位に増加ビット分の２ビットに“００”を埋める。
【００４３】
また、ＶＰＩについてはＶＣＩ長の増加に伴い、２ビット分減少するので、変更前のアドレスＡの７ビットのＶＰＩａの上位ビットが“００”である場合のみ新たなＶＰＩ値として引継ぎ、ＶＰＩａの上位ビットが“００”でない場合はアドレスを自動生成しない。
【００４４】
前例と同様に、変更前、ＶＰＩａ＝０ｘ５（１０１），ＶＣＩａ＝０ｘ１Ｆ（１１１１１）である場合、
変更前のアドレスＡは、０ｘ０Ａ１Ｆ（００００１０１００００１１１１１）であり、
変更後のアドレスＢは、０ｘ２８１Ｆ（００１０１００００００１１１１１）となる。
【００４５】
また、変更前、ＶＰＩａ＝０ｘ３５（０１１０１０１），ＶＣＩａ＝０ｘ１Ｆ（１１１１１）  である場合、
変更前のアドレスＡは、０ｘ６Ａ１Ｆ（０１１０１０１００００１１１１１）であり、
変更後のアドレスＢは、引継ぎ前のＶＰＩａの上位ビットが“０１”で、“００”ではないので、このアドレスに対してはアドレスの自動生成を行わない。
【００４６】
【発明の効果】
以上説明したように、本発明によれば、入力ヘッダ情報を縮退した入力識別子を生成し、該入力識別子を用いてヘッダ変換を行なう方式において、２種類の入力識別子を生成し、該２種類の入力識別子に対応した２面構成のヘッダ変換情報格納メモリを備え、該２種類の入力識別子の何れを選択するかを切替えることにより、瞬時に、種類の異なる入力識別子に対するヘッダ変換後情報を取得することができ、オンライン状態（セル導通状態）で、入力セルのＶＰＩ／ＶＣＩの使用長の変更を含む入力識別子（アドレス値）の収容変更が可能となる。
【００４７】
また、２面構成のヘッダ変換情報格納メモリに対して、一方の面から他方の面に格納データを転写する手段を設けることにより、収容変更の迅速化を図ることができる。
【図面の簡単な説明】
【図１】本発明によるヘッダ変換機能の構成を示す図である。
【図２】本発明の種類の異なる入力識別子生成情報により生成される入力識別子を示す図である。
【図３】本発明のヘッダ変換情報格納メモリの面間データ転写の説明図である。
【図４】本発明の入力識別子自動生成（変更後ＶＣＩ＜変更前ＶＣＩ）の説明図である。
【図５】本発明の入力識別子自動生成（変更後ＶＰＩ＜変更前ＶＰＩ）の説明図である。
【図６】ＡＴＭ装置におけるヘッダ変換機能の構成を示す図である。
【図７】従来のヘッダ変換後情報取得手段の構成を示す図である。
【図８】縮退した入力識別子（アドレス）の生成の様態を示す図である。
【符号の説明】
１−１ａ  入力識別子Ａ生成手段
１−１ｂ  入力識別子Ｂ生成手段
１−２ａ  入力識別子Ａ生成情報保持手段
１−２ｂ  入力識別子Ｂ生成情報保持手段
１−３  入力識別子Ａ／Ｂ選択手段
１−４  面切替え制御情報保持手段
１−５  ＭＰバス選択手段
１−６  ヘッダ変換情報格納メモリ
１−７  面間転送手段
１−８  転送先入力識別子生成手段
６−１  入力ヘッダ情報抽出手段
６−２  ヘッダ変換後情報取得手段
６−３  ヘッダ変換後情報付与手段
７−１  入力識別子生成手段
７−２  入力識別子生成情報格納手段
７−３  マイクロプロセッサ（ＭＰ）バス選択手段
７−４  ヘッダ変換情報格納メモリ
【図１】
2004343422.tif 000003
【図２】
2004343422.tif 000004
【図３】
2004343422.tif 000005
【図４】
2004343422.tif 000006
【図５】
2004343422.tif 000007
【図６】
2004343422.tif 000008
【図７】
2004343422.tif 000009
【図８】
2004343422.tif 000010